(57)【要約】【課題】ゴルフボールの転がりを安定させること。【解決手段】意図するプレーの線に沿った鉛直面へのシャフトの真っ直ぐな部分の投影が、鉛直線に対し前方に０度を超え２０度以下のフェース傾斜角θを持たせている。これにより、ヘッド（パター部２）をグリーン面に平行に移動させると、ゴルフボールの上方も一定の箇所にヒットさせることが可能となり、ゴルフボールの転がりを安定させることが可能となる。【選択図】図２
2019042428.tif 000002
【特許請求の範囲】
【請求項１】
意図するプレーの線に沿った鉛直面へのシャフトの真っ直ぐな部分の投影が、鉛直線に対し前方に０度を超え２０度以下のフェース傾斜角（θ）を持たせていることを特徴とするゴルフパター。
【発明の詳細な説明】
【技術分野】
【０００１】
本発明は、ゴルフパターに関するものである。
【背景技術】
【０００２】
ゴルフのクラブは球を打つために使用するようにデザインされた用具だが、その形状と用途により、一般にウッド、アイアン、パターの３つの形状に分かれる。この内、パターとは主としてパッティンググリーン上で使用されるためにデザインされた用具である。
【０００３】
従来のゴルフパターには各種形状のものがあるものの、ゴルフパターの直接ゴルフボールを当てる（叩く）面、つまりそのフェース面のフェース傾斜角（いわゆるロフト角）を見ると、意図するプレーの線に沿った鉛直面へのシャフトの真っ直ぐな部分の投影が、鉛直線に対し前方に０度（つまり直角）から後方に１０度以下のもののみが実在し、このゴルフパターが従来より使用されている。
【発明の概要】
【発明が解決しようとする課題】
【０００４】
このようなゴルフパターでパッティングした場合、ゴルフボールをグリーン上に押し出す、あるいは少し打ち上げることになって、ゴルフボールの転がり強さ、ひいては転がり距離が安定しないという問題が生じる。
このゴルフボールの転がり強さを制御するには、ゴルフボールを転がすようにヒットしなければならない。つまりゴルフボールの上部を叩き、ゴルフボールの進行方向に回転を加えることになる。
【０００５】
ところが、このようなプラス傾斜角を持つゴルフパターで、これを行なうにはパターヘッドのフェース面とソウル（底面）との稜線、つまり角をゴルフボールの上方の一点に当てなければならない。
当然、このようなパッティングではさらに不安定要素が増大し、所望のゴルフボールの転がりを得るには困難が生ずる。
【０００６】
本発明は上述の問題点に鑑みて提供したものであって、ゴルフボールの転がりを安定させることを目的としてゴルフパターを提供するものである。
【課題を解決するための手段】
【０００７】
そこで、本発明の請求項１に記載のゴルフパターでは、意図するプレーの線に沿った鉛直面へのシャフトの真っ直ぐな部分の投影が、鉛直線に対し前方に０度を超え２０度以下のフェース傾斜角θを持たせていることを特徴としている。
【発明の効果】
【０００８】
本発明の請求項１に記載のゴルフパターによれば、ヘッド（パター部２）をグリーン面に平行に移動させると、ゴルフボールの上方も一定の箇所にヒットさせることが可能となり、ゴルフボールの転がりを安定させることが可能となる。
【図面の簡単な説明】
【０００９】
【図１】（ａ）〜（ｃ）は本発明の実施の形態におけるパター部本体の平面図、正面図及び側面図である。
【図２】本発明の実施の形態における図１（ａ）のＡ視断面図である。
【図３】本発明の実施の形態におけるパター部本体のフェース面から見た場合の斜視図である。
【図４】本発明の実施の形態におけるパター部本体の背面側から見た場合の斜視図である。
【図５】本発明の実施の形態におけるパター部本体の背面側から見た場合の斜視図である。
【図６】本発明の実施の形態における金属材料の強度と防振係数との関係を示す図である。
【発明を実施するための形態】
【００１０】
以下、本発明の実施の形態を図面を参照して詳細に説明する。図１（ａ）は本発明のパター部本体１の平面図を、図１（ｂ）はパター部本体１の正面図を、図１（ｃ）はパター部本体１の側面図をそれぞれ示している。図２は図１（ａ）のＡ視断面図を示している。
また、図３はパター部本体１のフェース面から見た斜視図を、図４及び図５はパター部本体１の背面側から見た斜視図をそれぞれ示している。
【００１１】
本発明は、意図するプレーの線に沿った鉛直面へのシャフトの真っ直ぐな部分の投影が、鉛直線に対しフェース傾斜角を持つゴルフパターである。前方（図２においては右方）に０度を超え２０度以下のフェース傾斜角θを持つゴルフパターでパッティングした場合、このヘッドをグリーン面に平行に移動させると、ゴルフボールの上方も一定の箇所にヒットさせることが可能となり、ゴルフボールの転がりを安定させることが可能となる。
【００１２】
図１〜図５に示すように、例えば材料を黄銅としたパター部本体１は、パター部２と、このパター部２の上部の一方の端部と一体に形成されているネック部３とで構成されている。
パター部２の前面に横方向に長いフェース面４が形成されており、該フェース面４とは反対側の部分は図４に示すように、開口されていて、パター部２の内部は空洞となっている。
【００１３】
ネック部３は円柱状あるいは円筒状で形成されており、ネック部３の上部にはシャフト（図示せず）の先端部が挿入されて結合される円筒状のシャフト受け部５が形成されている。
【００１４】
図２において、θが上記フェース傾斜角を示しており、このフェース傾斜角θは図示例では、意図するプレーの線に沿った鉛直面へのシャフトの真っ直ぐな部分の投影が、鉛直線に対し約１０°としている。このフェース傾斜角θは、０度を超え２０度以下が好適例である。
【００１５】
すなわち、パター部２のフェース面４の傾斜角度を該フェース面４とは反対側に傾斜する方向であって、鉛直方向に対して０度を含まずに０度を超えて２０度以下にするようにしている。
【００１６】
このように、フェース傾斜角θを意図するプレーの線に沿った鉛直面へのシャフトの真っ直ぐな部分の投影が、鉛直線に対し前方（図２においては右方）に０度を超え２０度以下にすることで、ヘッド（パター部２）をグリーン面に平行に移動させると、ゴルフボールの上方も一定の箇所にヒットさせることが可能となり、ゴルフボールの転がりを安定させることが可能となる。
【００１７】
図６はゴルフヘッドに用いられる金属材料の強度と防振係数との関係を示す図であり、本実施形態のパターヘッド（パター部２）の材料として、１４Ｃｒステンレス鋼（材料記号ＮＳＳＣＦＷ２）を用いている。防振性とは振動の伝達を防止する性質である。
つまり、ヒットの際の振動が大きくグリップに伝わると、その振動によって手元が緩んだり、逆に力が入ったり、スイング向きに変動が起きたりする。これをできる限り抑制することが望まれるわけである。ゴルファーの言葉で言うと柔らかなタッチが要求されるのである。
【００１８】
一般に強度の優れた材料ほど制振性が悪くなる。そこで、強磁性型制振性（鉄の９０°磁区室の移動による内部摩擦ダンピング性能）を持つ、つまり強度は一般のステンレス材と同等でありながら防振性能を持つ材料＝１４Ｃｒステンレス鋼を、パターヘッド材に採用しているのである。
【符号の説明】
【００１９】
１  パター部本体
２  パター部
３  ネック部
４  フェース面
５  シャフト受け部
θ  フェース傾斜角
【図１】
2019042428.tif 000003
【図２】
2019042428.tif 000004
【図３】
2019042428.tif 000005
【図４】
2019042428.tif 000006
【図５】
2019042428.tif 000007
【図６】
2019042428.tif 000008
【手続補正書】
【提出日】平成30年12月10日(2018.12.10)
【手続補正１】
【補正対象書類名】特許請求の範囲
【補正対象項目名】全文
【補正方法】変更
【補正の内容】
【特許請求の範囲】
【請求項１】
上部にシャフト受け部（５）を有するネック部（３）と、前記ネック部（３）の下部に設けられているパター部（２）とを備え、前記パター部（２）の前面にフェース面（４）が形成されているゴルフパターにおいて、
前記パター部（２）のフェース面（４）の上部から下部に至る程、該フェース面（４）とは反対側の方向に拡開して傾斜するフェース傾斜角（θ）を０度を超え２０度以下とすると共に、該パター部（２）の材料を防振性能を持つ１４Ｃｒステンレス鋼としていることを特徴とするゴルフパター。
【手続補正２】
【補正対象書類名】明細書
【補正対象項目名】０００７
【補正方法】変更
【補正の内容】
【０００７】
そこで、本発明の請求項１に記載のゴルフパターでは、上部にシャフト受け部５を有するネック部３と、前記ネック部３の下部に設けられているパター部２とを備え、前記パター部２の前面にフェース面４が形成されているゴルフパターにおいて、
前記パター部２のフェース面４の上部から下部に至る程、該フェース面４とは反対側の方向に拡開して傾斜するフェース傾斜角θを０度を超え２０度以下とすると共に、該パター部２の材料を防振性能を持つ１４Ｃｒステンレス鋼としていることを特徴としている。